(57)【要約】  本発明のアイウェアシステムは、光学特性が変化する光学特性変化領域を含む第１レンズ、および前記第１レンズを保持する第１フレームと、前記第１レンズとは異なる第２レンズを保持する第２フレームと、を備え、前記第１レンズと前記第２レンズとが正対し、前記第２レンズを通した体験者の視界内に前記光学特性変化領域が位置するように、前記第１フレームは前記第１フレームを前記第２フレームに取り付けるための第１取付部を有する、または、前記第２フレームは前記第２フレームを前記第１フレームに取り付けるための第２取付部を有する。
2019156130.tif 000002
【特許請求の範囲】
【請求項１】
光学特性が変化する光学特性変化領域を含む第１レンズ、および前記第１レンズを保持する第１フレームと、
前記第１レンズとは異なる第２レンズを保持する第２フレームと、
を備え、
前記第１レンズと前記第２レンズとが正対し、前記第２レンズを通した体験者の視界内に前記光学特性変化領域が位置するように、前記第１フレームは前記第１フレームを前記第２フレームに取り付けるための第１取付部を有する、または、前記第２フレームは前記第２フレームを前記第１フレームに取り付けるための第２取付部を有する、
アイウェアシステム。
【請求項２】
前記第２フレームは、前記第２フレームを前記第１レンズの対物面側から前記第１フレームに取り付けるための前記第２取付部を有し、
前記第２フレームは、前記第１フレームに取り付けられた状態で、前記第１フレームの前記第１レンズに対する前記第２レンズの相対位置を調節する第２レンズ位置調節部を有する、
請求項１に記載のアイウェアシステム。
【請求項３】
前記第２レンズ位置調節部は、前記第２レンズのレンズ面が前記第１レンズのレンズ面に対向するように前記第２レンズのレンズ面の角度を調節する第２レンズ角度調節部をさらに有する、
請求項２に記載のアイウェアシステム。
【請求項４】
前記第２レンズ角度調節部は、前記第１フレームの上下方向に沿った第１可動中心を有し、前記第１可動中心周りに前記第２レンズのレンズ面の角度を変化させる、
請求項３に記載のアイウェアシステム。
【請求項５】
前記第２レンズ角度調節部は、前記第１フレームの左右方向に沿った第２可動中心を有し、前記第２可動中心周りに前記第２レンズのレンズ面の角度を変化させる、
請求項３または４に記載のアイウェアシステム。
【請求項６】
前記第２フレームは、複数の前記第２レンズを重ね合わせて保持する、
請求項１から５のいずれか一項に記載のアイウェアシステム。
【請求項７】
前記第２フレームは、複数の前記第２レンズを密着または接近させて保持する、
請求項６に記載のアイウェアシステム。
【請求項８】
前記第２レンズは、近視用レンズ、遠視用レンズ、乱視用レンズ、カラーレンズ、偏光レンズ、調光レンズ、防眩レンズ、特定波長カットレンズのいずれかである、
請求項１から７のいずれか一項に記載のアイウェアシステム。
【請求項９】
前記第２フレームは、前記第２レンズを前記第２レンズの中心軸周りに回転可能に保持する、
請求項１から８のいずれか一項に記載のアイウェアシステム。
【請求項１０】
前記第１フレームは、前記第１フレームを前記第２レンズの対物面側から前記第２フレームに取り付けるための前記第１取付部を有し、
前記第１フレームは、前記第２フレームに取り付けられた状態で、前記第２フレームの前記第２レンズに対する前記第１レンズの相対位置を調節する第１レンズ位置調節部を有する、
請求項１に記載のアイウェアシステム。
【請求項１１】
前記第１レンズ位置調節部は、前記第２フレームの前記第２レンズに対して近づくまたは遠ざかる第１方向、および／または、前記第１方向に直交する第２方向における前記第１レンズの相対位置を調節する、
請求項１０に記載のアイウェアシステム。
【請求項１２】
前記第２方向は、前記第２フレームの上下方向、または前後方向である、
請求項１１に記載のアイウェアシステム。
【請求項１３】
前記第１レンズ位置調節部は、前記第１レンズの位置調節の際に、前記第１レンズとともに、前記第１取付部を除く前記第１フレームの他の構成を移動させる、
請求項１０から１２のいずれか一項に記載のアイウェアシステム。
【請求項１４】
前記光学特性変化領域は、電気制御により光学特性が変化する電気素子である、
請求項１から１３のいずれか一項に記載のアイウェアシステム。
【請求項１５】
前記第１フレームまたは前記第２フレームに設けられ、前記電気素子の制御を行う制御部をさらに有する、
請求項１から１４のいずれか一項に記載のアイウェアシステム。
【請求項１６】
前記第１フレームまたは前記第２フレームに設けられ、前記制御部に対して前記電気素子の作動または非作動を指示する入力操作を受け付ける入力部をさらに有する、
請求項１から１５のいずれか一項に記載のアイウェアシステム。
【請求項１７】
前記第２レンズは、所定の度数を有する、
請求項１０から１６のいずれか一項の記載のアイウェアシステム。
【請求項１８】
前記第１取付部または前記第２取付部は、閉方向に付勢されたクリップ状の部材である、
請求項１から１７のいずれか一項に記載のアイウェアシステム。
【発明の詳細な説明】
【技術分野】
【０００１】
本発明は、光学特性が変化する領域を含むレンズを有するアイウェアを用いたアイウェアシステムに関する。
【背景技術】
【０００２】
近年、電気的制御等により光学特性が変化する光学特性変化領域を有するレンズを備えたアイウェアが開発されている。具体的には、例えばユーザがアイウェアに設けられたスイッチを操作すると、光学特性変化領域に電気が供給され、当該領域の光学特性、例えば屈折率、色、偏光状態等が変化する。このようなアイウェアの例として、特許文献１に開示された電子眼鏡がある。
【先行技術文献】
【特許文献】
【０００３】
【特許文献１】特開２００９−９８６４９号公報
【発明の概要】
【発明が解決しようとする課題】
【０００４】
特許文献１に開示された電子眼鏡では、光学特性の変化によって見え方が大きく変わる。このため、電子眼鏡を使用したことがない新規ユーザに対して、光学特性の変化による見え方の違いを体験させたい、という要望がある。しかしながら、電子眼鏡を体験しようとするユーザの視力は一律ではなく、全てのユーザの視力に対応できる電子眼鏡をあらかじめ用意することは困難である。このため、視力が異なる様々なユーザに対して、光学特性の変化による見え方の違いを容易に体験させることができる仕組みが要望されている。      【０００５】
このような仕組みの例として、光学特性変化領域を有する第１のレンズと、ユーザの視力に合わせた度数を有する第２のレンズとを別々に用意し、第１のレンズと第２のレンズとを重ねた状態でユーザの目の前に配置する構成が挙げられる。【０００６】
ところで、光学特性変化領域を有するレンズを備えたアイウェアを好適に体験させるためには、光学特性変化領域をユーザの視界のうちの好適な位置に位置させる必要がある。好適な位置とは、具体的には、電気素子を有するレンズが遠近両用のレンズ（電気素子の領域が近距離用、それ以外の領域が遠距離用）であった場合、例えばユーザの視界の下方よりの位置である。【０００７】
しかしながら、第１のレンズと第２のレンズとを重ねた状態でユーザの目の前に配置する際、光学特性変化領域が好適な位置とならない場合がある。【０００８】
本発明は、上記事情に鑑み、光学特性変化領域を有するレンズとそうでないレンズとの相対位置を調節することができるアイウェアシステムを提供することを目的とする。
【課題を解決するための手段】
【０００９】
本発明に係るアイウェアシステムは、光学特性が変化する光学特性変化領域を含む第１レンズ、および前記第１レンズを保持する第１フレームと、前記第１レンズとは異なる第２レンズを保持する第２フレームと、を備え、前記第１レンズと前記第２レンズとが正対し、前記第２レンズを通した体験者の視界内に前記光学特性変化領域が位置するように、前記第１フレームは前記第１フレームを前記第２フレームに取り付けるための第１取付部を有する、または、前記第２フレームは前記第２フレームを前記第１フレームに取り付けるための第２取付部を有する。
【発明の効果】
【００１０】
本発明によれば、光学特性変化領域を有するレンズとそうでないレンズとの相対位置を調節することができる。
【図面の簡単な説明】
【００１１】
【図１】本発明の第１の実施の形態に係るアイウェアシステムの構成の一例を示す斜視図
【図２】電子メガネ（本発明の第１フレーム）の構成の一例を示す斜視図
【図３】電子メガネにおける機能構成を示すブロック図
【図４Ａ】レンズ保持具について説明するための図
【図４Ｂ】レンズ保持具について説明するための図
【図５】レンズユニットについて説明するための図
【図６Ａ】第１支持部および第２支持部が前後方向に沿って２組ずつ設けられた場合のレンズ保持具を示す斜視図
【図６Ｂ】第１支持部および第２支持部が前後方向に沿って２組ずつ設けられたレンズ保持具に、レンズユニットが２枚挿入された状態を示す図
【図７】体験者の視力に合わせたレンズユニットが、レンズ保持具に取り付けられる様子を示す図
【図８Ａ】レンズユニットの位置調節の様子を示す図
【図８Ｂ】レンズユニットの位置調節と、体験者の視界との関係を横から見た図
【図９Ａ】レンズ保持具がレンズユニットのレンズを電子メガネのフロント形状（カーブ）に合わせてヨー方向に調節する例を示す図
【図９Ｂ】レンズ保持具がレンズユニットのレンズを電子メガネのフロント形状（傾斜）に合わせてピッチ方向に調節する例を示す図
【図１０】オーバーグラス（本発明の第１フレーム）の前方から見た斜視図
【図１１】オーバーグラスの後方から見た斜視図
【図１２Ａ】オーバーグラスが体験者メガネに取り付けられる前の様子を例示した斜視図
【図１２Ｂ】オーバーグラスが体験者メガネに取り付けられた後の様子を例示した斜視図
【図１３Ａ】体験者メガネにオーバーグラスが取り付けられた後、前後方向における位置調節が行われる前の様子を示す図
【図１３Ｂ】体験者メガネにオーバーグラスが取り付けられた状態で、電子レンズがオーバーグラスの前後方向において体験者メガネのレンズに近づくように位置調節が行われた様子を示す図
【図１４Ａ】体験者メガネにオーバーグラスが取り付けられた後、左右方向における位置調節が行われる前の様子を示す図
【図１４Ｂ】体験者メガネにオーバーグラスが取り付けられた状態で、オーバーグラスの左右方向において位置調節が行われた様子を示す図
【図１５Ａ】体験者メガネにオーバーグラスが取り付けられた後、上下方向における位置調節が行われる前の様子を示す図
【図１５Ｂ】体験者メガネにオーバーグラスが取り付けられた状態で、オーバーグラス４００の上下方向において位置調節が行われた様子を示す図
【発明を実施するための形態】
【００１２】
（第１の実施の形態）
以下、本発明の第１の実施形態に係るアイウェアシステムについて、図面を用いて説明する。
【００１３】
［アイウェアシステムの構成］
図１は、本発明の第１の実施の形態に係るアイウェアシステム１の構成の一例を示す斜視図である。図１に示すように、アイウェアシステム１は、電子メガネ１００と、レンズ保持具２００と、を有する。電子メガネ１００は、本発明の第１フレームの一例である。また、レンズ保持具２００は、本発明の第２フレームの一例である。
【００１４】
電子メガネ１００は、電子制御により光学特性が変化する光学特性変化領域を含む電子レンズ１１０および電子レンズ１１０を保持するフレーム１２０を有するアイウェアである。本発明において、アイウェアとは、装着されることにより、眼に対して視力または視界向上のための補助機構や情報提示のための機構を保持する構成であればよく、両方の耳に装着されるメガネ型に限らず、頭部や片方の耳のみに装着される装置であってもよい。また、両眼用ではなく、片眼のみに作用するものであってもよい。また、本発明のアイウェアには、ユーザの視界あるいは眼に対して情報提示を行う機構を有する種々のデバイス（例えば、メガネ型ウェアラブル端末、ヘッドマウントディスプレイ等）等が含まれる。
【００１５】
以下説明する第１の実施の形態では、本発明の第１フレームの一例として、一対のレンズを有する、両目用の電子メガネ１００について説明するが、本発明の第１フレームはこれに限定されない。
【００１６】
なお、図１に示す前後、左右、上下方向は、電子メガネ１００を掛けたユーザにとっての前後、左右、上下方向にそれぞれ対応している。本第１の実施の形態では、図１に示す前後、左右、上下方向を用いてアイウェアシステム１の説明を行う。
【００１７】
［電子メガネ１００の構成］
図２は、電子メガネ１００の構成の一例を示す斜視図である。上記したように、電子メガネ１００は、一対の電子レンズ１１０と、フレーム１２０とを有する。フレーム１２０は、フロント１３０、および一対のテンプル１４０を有する。電子レンズ１１０は、本発明の第１レンズの一例である。
【００１８】
一対の電子レンズ１１０は、電子メガネ１００を正面視したときに左右対称となるように形成されており、互いに同一の構成要素を有する。
【００１９】
電子レンズ１１０は、電子制御等により光学特性が変化しうる第１領域１１１と、第１領域１１１以外の領域である第２領域１１２とを有する。第１領域１１１は、本発明の光学特性変化領域の一例である。第１領域１１１において変化する光学特性の例には、屈折率、色、偏光状態、光の透過率等が含まれる。本第１の実施の形態において、電子レンズ１１０における、第１領域１１１以外の第２領域１１２は、光学特性が変化しない領域である。
【００２０】
第１領域１１１の形状、大きさ、および電子レンズ１１０全体に対する位置は、電子レンズ１１０の大きさや、電子メガネ１００の用途等に応じて適宜設計されうる。第１領域１１１の形状の例には、円形状および楕円形状等が含まれる。本第１の実施の形態では、第１領域１１１の形状は、電子メガネ１００の左右方向を長軸とする楕円形状である。また、第１領域１１１は、図２に示すように、電子レンズ１１０を正面視したときに、電子レンズ１１０の中央部より下側に配置されている。
【００２１】
電子レンズ１１０の構造は、例えば以下の通りである。電子レンズ１１０の第１領域１１１における構造は、多層構造であり、少なくとも、液晶層（不図示）と、液晶層を前後から挟む一対の導電層（不図示）と、を有している。一方、電子レンズ１１０の第２領域１１２における構造は、例えば所定の度数（度が入っていない場合を含む）の球面レンズ、または非球面レンズにより構成される。このように、電子レンズ１１０は、互いに異なる構造が組み合わせられることにより、第１領域１１１と第２領域１１２とを有するように構成されている。なお、光学特性が変化していない状態の第１領域１１１の度数は、第２領域１１２の度数と同じであってもよいし、第２領域１１２の度数とは異なる所定の度数であってもよい。
【００２２】
なお、第２領域１１２において、電子レンズ１１０の内部には、第１領域１１１に電気を供給する一対の図示しない電極が設けられており、それぞれの電極が第１領域１１１に接続されている。この一対の電極は、フレーム１２０内等に配置された配線を通じて、後出のバッテリ１６０に接続されている。一対の導電層間に電圧が印加されると、液晶層が活性化し、第１領域１１１の光学特性が変化する。電極の例にはＩＴＯ等の透明電極が含まれる。
【００２３】
なお、本第１の実施の形態では、電子レンズ１１０の第１領域１１１以外の第２領域１１２における光学特性が変化しない場合について説明しているが、本発明には、第２領域１１２の光学特性が変化する場合も含まれうる。ただし、この場合、第２領域１１２における光学特性の変化は、第１領域１１１における光学特性の変化とは異なる変化であることが望ましい。
【００２４】
図２に示すように、フロント１３０は、一対の電子レンズ１１０をそれぞれ支持している一対のリム１３１と、一対のリム１３１を互いに接続しているブリッジ１３２とを有する。フロント１３０は、本発明の第１前枠の一例である。リム１３１の形状は、電子レンズ１１０の形状に対応する形状である。ブリッジ１３２は、ユーザの鼻に接触しうる一対の鼻パッド１３３を有する。特に図示しないが、フロント１３０の内部には、電子レンズ１１０の電極と後述の制御部１５０とを電気的に接続するための配線が配置されている。
【００２５】
フロント１３０は、その両端部近傍に、ヨロイ（智）１３４を有している。ヨロイ１３４は、リム１３１から見て左方または右方および後方に向かって延在する部位である。ヨロイ１３４の後方先端部は、ヒンジ１４１によってテンプル１４０と接続されている。テンプル１４０は、本発明の第１テンプルの一例である。
【００２６】
フロント１３０の材料は特に限定されないが、熱可塑性を有し、必要に応じて各部の位置や形状を調整可能である材料が好ましい。フロント１３０の材料としては、メガネのフロントの材料として使用されている公知の材料が使用されうる。フロント１３０の材料の例には、ポリアミド、アセテート、カーボン、セルロイド、ポリエーテルイミドおよびウレタンが含まれる。
【００２７】
左右一対のテンプル１４０は、電子メガネ１００においてほぼ左右対称の外形を有するように形成されている。図２に示されるように、テンプル１４０は、その前端部のヒンジ１４１においてフロント１３０に回転可能に接続されている。なお、以下のテンプル１４０の説明における前または後ろは、テンプル１４０が展開された状態（図２等に示される状態）における前または後ろを意味する。
【００２８】
テンプル１４０の材料は、特に限定されないが、熱可塑性を有し、必要に応じて各部の位置や形状を調整可能である材料が好ましい。テンプル１４０の材料の例としては、一般的なメガネのテンプルの材料として使用されている公知の材料、例えばフロント１３０の材料の例と同じ材料が使用されうる。
【００２９】
テンプル１４０の後端部付近には、耳掛け部１４２が形成されている。図２には図示しないが、耳掛け部１４２の後端部には、電子レンズ１１０に対して電気を供給するためのバッテリ１６０（後出の図３参照）が取り付けられる。なお、耳掛け部１４２の後端部には、バッテリ１６０以外に、他の電子部品が取り付けられてもよい。他の電子部品の例としては、例えば各種情報を記憶するメモリ、無線通信（Wi-Fi（登録商標）、Bluetooth（登録商標）、NFC等）用の送受信部、カメラ、マイク、骨伝導スピーカ、補聴器等が含まれる。
【００３０】
図２に示すように、テンプル１４０の前端部付近には、入力部１４３が設けられている。入力部１４３は、例えば、電子メガネ１００の操作のため、ユーザの指等によって接触されうる部位である。図２に示すように、入力部１４３の少なくとも一部は、テンプル１４０の外部に露出するように配置されている。
【００３１】
入力部１４３は、電子メガネ１００のユーザが入力部１４３に触れやすい位置に配置されることが好ましい。このような観点から、入力部１４３は、テンプル１４０の長軸方向における中点より前方側に配置されている。また、入力部１４３は、電子メガネ１００のユーザから見て、テンプル１４０における外側の面に配置されている。なお、図２では入力部１４３は右側のテンプル１４０に設けられているが、左側のテンプル１４０に設けられていてもよいし、両方に設けられていてもよい。
【００３２】
入力部１４３の形状は、特に限定されない。本第１の実施の形態では、入力部１４３は、横長のほぼ矩形状に形成されており、テンプル１４０の長軸方向に沿って延在している。
【００３３】
入力部１４３は、例えば静電容量式のタッチセンサーであり、後出の図３に示すように、制御部１５０に接続されている。すなわち、入力部１４３は導電性を有し、導電体である対象物（ユーザの指等）が入力部１４３へ接触すると、制御部１５０はその接触を検出することができる。入力部１４３の材料の例には、金、銀、銅、アルミニウムおよびこれらの合金が含まれる。この場合、入力部１４３の少なくとも周辺部（例えばテンプル１４０）の材料は、絶縁性であることが好ましい。なお、入力部１４３は静電容量式のタッチセンサーには限定されず、例えば機械式のスイッチであってもよい。
【００３４】
制御部１５０は、例えば、ＣＰＵ等によって構成され、電子レンズ１１０の第１領域１１１の光学特性を変化させるか否かを制御する。図３は、電子メガネ１００における機能構成を示すブロック図である。図３に示すように、電子メガネ１００において、電子レンズ１１０と、テンプル１４０の入力部１４３と、制御部１５０と、バッテリ１６０とが電気的に接続されている。
【００３５】
制御部１５０は、入力部１４３における静電容量の変化を検出し、検出した場合に、電子レンズ１１０の第１領域１１１へ電圧を印加する。具体的には、制御部１５０は、例えば、入力部１４３が対象物の接触を検出したときに、第１領域１１１に電圧を印加する、またはその電圧の印加を停止する制御を行い、第１領域１１１の光学特性を変化させる。
【００３６】
制御部１５０は、図示しないが、例えばテンプル１４０の前端部付近における内部に収容されていればよい。
【００３７】
［レンズ保持具２００］
図４Ａおよび図４Ｂは、レンズ保持具２００について説明するための図である。図４Ａはレンズ保持具２００を前側から見た状態を、図４Ｂはレンズ保持具２００を後ろ側から見た状態を、それぞれ示している。レンズ保持具２００としては、電子メガネ１００の電子レンズ１１０の対物面側にレンズユニット３００を少なくとも１枚配置し、位置を調節可能であれば良く、特に限定されないが、例えば株式会社ハセガワ・ビコー製トライアルアタッチメントを用いることができる。
【００３８】
図４Ａおよび図４Ｂに示すように、レンズ保持具２００は、一対の保持部２１０と、位置調節部２２０と、取付部２３０と、を有する。図１に示すように、レンズ保持具２００は、電子メガネ１００の電子レンズ１１０の対物面側から電子メガネ１００に取り付けられて用いられる。
【００３９】
保持部２１０は、上記説明した電子メガネ１００の電子レンズ１１０とは異なる、枠付きのレンズユニット３００を保持する。より詳細には、図４Ａに示すように、保持部２１０は、外枠部２１１と、第１支持部２１２と、第２支持部２１３と、を有する。
【００４０】
レンズユニット３００は、一般には検眼レンズ、トライアルレンズ等と呼ばれる、１枚のレンズが枠に収められたものである。図５は、レンズユニット３００について説明するための図である。図５に示すように、レンズユニット３００は、レンズ３１０と、枠部３２０と、つまみ部３３０と、を有する。レンズ３１０は、本発明の第２レンズの一例である。本第１の実施の形態において、レンズユニット３００のレンズ３１０は、光学特性が変化する領域を有しない、通常のレンズである。レンズユニット３００は、アイウェアシステム１用に特別に設計される必要はなく、市販されている検眼レンズ等が適宜用いられればよい。なお、本発明はこれに限定されず、レンズユニット３００は電気的制御等に応じて光学特性が変化する領域を有していてもよい。電気的制御によって光学特性が変化するレンズをレンズユニット３００に採用する場合、例えばつまみ部３３０にレンズの光学特性を変化させる入力部が設けられればよい。
【００４１】
レンズ３１０は、例えば近視用レンズ、遠視用レンズ、乱視用レンズ、カラーレンズ、偏光レンズ、調光レンズ、防眩レンズ、特定の波長の光（例えば、３８０ｎｍから４２０ｎｍ付近の波長の光の透過を低減するレンズ、４６０ｎｍから４８０ｎｍ付近の波長の光の透過を低減するレンズ、５８５ｎｍ付近の波長の光の透過を低減するレンズ）の透過を低減する特定波長カットレンズ等、種々のレンズであり、ユーザの目的に応じて適宜選択される。
【００４２】
レンズユニット３００は、保持部２１０の第１支持部２１２および第２支持部２１３によって支持され、外枠部２１１に対して位置決めされた状態で保持される。保持部２１０によるレンズユニット３００の保持は、第１支持部２１２および第２支持部２１３が枠部３２０と接触することによって行われている。
【００４３】
第１支持部２１２および第２支持部２１３は、レンズユニット３００の着脱が容易であるような形状に形成されている。保持部２１０に対するレンズユニット３００の取り付けは、例えばユーザがつまみ部３３０をつまんでレンズユニット３００の枠部３２０を第１支持部２１２と第２支持部２１３との間に挿入することによって行われる。保持部２１０からのレンズユニット３００の取り外しは、例えばユーザがつまみ部３３０をつまんでレンズユニット３００を第１支持部２１２と第２支持部２１３との間から抜き取ることによって行われる。
【００４４】
第１支持部２１２および第２支持部２１３の内周面の形状は、保持部２１０によって保持されるレンズユニット３００の枠部３２０の形状に合わせて、レンズユニット３００を好適に支持でき、かつ着脱が容易であるように形成されればよい。なお、第１支持部２１２または第２支持部２１３の内周面とは、レンズユニット３００が保持部２１０に保持されている状態で、枠部３２０が接触する第１支持部２１２または第２支持部２１３の面を意味する。図４Ａに示す例では、図５に示すように外周が円形状であるレンズユニット３００の枠部３２０の形状に合わせて、第１支持部２１２の内周面は円弧形状に形成されている。第２支持部２１３の内周面の形状も同様に円弧形状に形成されているが、レンズユニット３００を着脱しやすくするために、第１支持部２１２と比較して円周方向に短く形成されている。
【００４５】
図４Ａおよび図４Ｂに示す例では、第１支持部２１２および第２支持部２１３は１枚のレンズユニット３００を支持できるように形成されているが、本発明はこれに限定されず、複数のレンズユニット３００を支持することができるように形成されていてもよい。この場合、第１支持部２１２および第２支持部２１３に支持される複数のレンズユニット３００は、前後方向に重ね合わされ、互いに密着または接近した状態で保持される。これにより、目的に応じてそれぞれ異なる性質を有する複数のレンズユニット３００を組み合わせて使用することができる。
【００４６】
図６Ａは、第１支持部２１２および第２支持部２１３が前後方向に沿って２組ずつ設けられた場合のレンズ保持具２００を示す斜視図である。また、図６Ｂは、第１支持部２１２および第２支持部２１３が前後方向に沿って２組ずつ設けられたレンズ保持具２００に、レンズユニット３００が２枚挿入された状態を示す図である。図６Ｂでは、レンズ保持具２００およびレンズユニット３００を上から見ている。図６Ｂでは、左右方向と前後方向の縮尺は正確ではなく、特に前後方向において各部が強調して図示されている。
【００４７】
図６Ａおよび図６Ｂに示すように、第１支持部２１２および第２支持部２１３が２組ずつ設けられている場合、例えば近視用レンズと乱視用レンズ等の互いに性質が異なる２枚のレンズが前後方向に重ね合わされ、互いに密着または接近した状態で保持される。性質が異なる２枚のレンズの組み合わせの例としては、例えば近視用レンズまたは遠視用レンズと乱視用レンズの組み合わせや、近視用レンズまたは遠視用レンズとカラーレンズ、偏光レンズ、調光レンズ、防眩レンズまたは特定波長カットレンズとの組み合わせ等が挙げられる。
【００４８】
また、例えば、第１支持部２１２および第２支持部２１３は、３枚のレンズユニット３００を支持できるように、３組ずつ設けられていてもよい。その場合は、互いに性質が異なる３枚のレンズが同時に保持されうる。その場合、例えば近視用レンズまたは遠視用レンズと乱視用レンズに加えて、カラーレンズ、偏光レンズ、調光レンズ、防眩レンズまたは特定波長カットレンズが、前後方向に重ね合わされ、互いに密着または接近した状態で保持されうる。
【００４９】
外枠部２１１には、第１支持部２１２および第２支持部２１３にレンズユニット３００が支持されている際にレンズユニット３００の角度を調節できるように、角度を示す目盛りが設けられていてもよい。図４Ａに示す例では、外枠部２１１において、水平方向左側を基準（０度）として、１８０度まで計測できるような目盛り（０，３０，６０，９０，１２０，１５０，１８０）が記されている。このような目盛りは、例えばユーザの乱視の状態に合わせて、乱視用のレンズユニット３００のレンズ３１０を中心軸周りに回転させるために用いられる。なお、第１支持部２１２および第２支持部２１３が２枚のレンズユニット３００を支持できるように形成されている場合は、少なくとも１枚のレンズユニット３００のレンズ３１０を中心軸周りに回転させられるように構成されていればよい。
【００５０】
第１支持部２１２および第２支持部２１３は、外枠部２１１に固定されている。外枠部２１１は、腕部２１１２を有する。図４Ａおよび図４Ｂに示す例では、腕部２１１２は、平板状の部材であり、位置調節部２２０と接続されている。腕部２１１２の位置が位置調節部２２０によって調節されることにより、保持部２１０全体の位置が調節される。なお、腕部２１１２の形状は平板状でなくてもよく、例えば棒状であってもよい。
【００５１】
位置調節部２２０は、保持部２１０の位置を調節するための構成である。位置調節部２２０は、本発明の第２レンズ位置調節部の一例である。位置調節部２２０は、腕部保持部２２１と、梁部２２２と、歯車部２２３とを有する。
【００５２】
図４Ａおよび図４Ｂに示す例では、腕部保持部２２１は、板状の腕部２１１２が挿入される筒状の部材であり、上下方向に延在する腕部２１１２を上下方向に移動可能に保持する。腕部保持部２２１の内周面は腕部２１１２の外周面と密着するような大きさに形成されており、腕部保持部２２１はその摩擦力によって腕部２１１２を保持する。あるいは、腕部保持部２２１の内周面と腕部２１１２の外周面とに複数の凸部がそれぞれ設けられており、腕部保持部２２１の凸部と腕部２１１２の凸部とが互いに噛み合うことで、腕部保持部２２１は腕部２１１２をより強固に保持してもよい。この場合、複数の凸部が設けられるのは、腕部保持部２２１の内面のうちの少なくとも一面と、この面に対向する腕部２１１２の外周面のうちの少なくとも一面であればよい。なお、腕部保持部２２１に対する腕部２１１２の上下方向への移動は、ユーザが腕部保持部２２１の上側から突出した腕部２１１２の一部をつまんで動かすことにより行われればよい。腕部２１１２には、上下方向の移動量が分かるように、目盛りが記されていてもよい。
【００５３】
腕部保持部２２１は、梁部２２２に左右方向に移動可能に接続されている。梁部２２２は、左右方向に延在する例えば四角棒形状を有する部材である。なお、本発明では梁部２２２は四角棒形状ではなくてもよく、例えば丸棒状でもよい。例えば梁部２２２の上側の面には複数の凸部が設けられており、一部の凸部は、腕部保持部２２１に回転可能に設けられた歯車部２２３の歯車の一部と噛み合っている。歯車部２２３の前後方向の一端部はユーザによって回転させることができるように円板形状に形成されており、ユーザがこの円板を回転させることで、円板と一体に接続された歯車部２２３が回転し、これに伴って腕部保持部２２１が梁部２２２に沿って左右方向に移動する。梁部２２２には、左右方向への移動量が分かるように、左右端部からの長さを示す数字が記されていてもよい。図４Ａに示す例では、梁部２２２において、端部からの距離が２５ｍｍである位置に数字「２５」が記されている。
【００５４】
このような構成により、保持部２１０の位置は位置調節部２２０によって、梁部２２２に対して上下および左右方向に調節できるようになっている。なお、上記説明では一対の保持部２１０のうちの一方について説明したが、他方の保持部２１０も同様の構成を有する。ただし、他方の保持部２１０は、一方の保持部２１０とは左右対称に構成されている。
【００５５】
梁部２２２の中央部には、レンズ保持具２００を電子メガネ１００に取り付けるための取付部２３０が接続されている。取付部２３０は、電子メガネ１００に対して、梁部２２２の位置が一意に決まるようにレンズ保持具２００を取り付けることができる。これにより、上記説明した位置調節部２２０によって、一対の保持部２１０の上下方向および左右方向の位置が、電子メガネ１００に対して好適に調節されうる。
【００５６】
また、図４Ａおよび図４Ｂには図示しないが、位置調節部２２０は、後出の第１可動部２２４（図９Ａ参照）を有してもよい。第１可動部２２４は、本発明のカーブ調節部の一例である。第１可動部２２４は、例えば梁部２２２の中央付近に設けられ、電子メガネ１００のほぼ上下方向に沿った可動軸を含む。具体的には、第１可動部２２４は、例えばヒンジである。第１可動部２２４を回転中心（可動中心）として、第１可動部２２４の両側の梁部２２２を所望の角度に調節することができる。換言すれば、第１可動部２２４は、左右の梁部２２２および梁部２２２に固定された保持部２１０をヨーイングさせる構成である。第１可動部２２４は、ヒンジに限らず、電子メガネ１００のフロント１３０のカーブに合わせて調節可能な構成であればよく、例えば蛇腹構造を有していてもよい。このような第１可動部２２４の構成により、電子メガネ１００のフロント１３０がカーブしている場合に、保持部２１０に保持されるレンズユニット３００のレンズ３１０（第２レンズ）のレンズ面を、電子メガネ１００の電子レンズ１１０（第１レンズ）のレンズ面と好適に対向するように、電子メガネ１００のフロント１３０のカーブに合わせて角度を調節することができる。
【００５７】
さらに、図４Ａおよび図４Ｂには図示しないが、位置調節部２２０は、後出の第２可動部２２５（図９Ｂ参照）を有してもよい。第２可動部２２５は、本発明の傾き調節部の一例である。第２可動部２２５は、例えば梁部２２２と取付部２３０との接続部（後出の接続部２３１）付近に設けられ、電子メガネ１００のほぼ左右方向に沿った可動軸を含む。具体的には、第２可動部２２５は、例えばヒンジである。第２可動部２２５を回転中心（可動中心）として、梁部２２２全体を所望の角度に調節することができる。換言すれば、第２可動部２２５は、梁部２２２および保持部２１０全体をピッチングさせる構成である。第２可動部２２５は、ヒンジに限らず、電子メガネ１００の電子レンズ１１０の傾きに合わせて調節可能な構成であればよく、例えば蛇腹構造を有していてもよい。このような第２可動部２２５の構成により、電子メガネ１００の電子レンズ１１０が前後方向に傾いて設けられている場合に、保持部２１０に保持されるレンズユニット３００のレンズ３１０のレンズ面を、電子メガネ１００の電子レンズ１１０のレンズ面と対向するように、電子メガネ１００のフロント１３０の傾きに合わせて角度を調節することができる。
【００５８】
なお、位置調節部２２０は、上述の第１可動部２２４と第２可動部２２５の双方を有してもよい。その場合、レンズユニット３００のレンズ３１０（第２レンズ）のレンズ面が、電子メガネ１００の電子レンズ１１０（第１レンズ）のレンズ面に水平に対向するように、第１可動部２２４と第２可動部２２５とが協働して、レンズユニット３００のレンズ３１０のレンズ面の角度を調節する角度調節部として機能する構成としてもよい。
【００５９】
取付部２３０は、接続部２３１と、軸部材２３２と、上向き爪部２３３と、取付用梁部２３４と、ばね２３５と、一対の下向き爪部２３６と、を有する。取付部２３０は、本発明の第２取付部の一例である。
【００６０】
接続部２３１は、軸部材２３２の上端と梁部２２２の中央部とを接続する部材である。軸部材２３２は、上下方向に延在する棒状の部材である。軸部材２３２の下端には、上向き爪部２３３が設けられている。
【００６１】
軸部材２３２における、接続部２３１と上向き爪部２３３との間には、ほぼ左右方向に延在する取付用梁部２３４が上下方向に移動可能に設けられている。より詳細には、取付用梁部２３４の中央部に設けられた穴（不図示）に軸部材２３２が嵌め入れられており、穴の直径が軸部材２３２の直径より若干大きめに形成されることで、取付用梁部２３４が軸部材２３２に対して上下方向に移動しうる。取付用梁部２３４の中央部には、取り付け時にユーザが把持するための把持部２３４１が例えば前方に向かって突出するように設けられている。
【００６２】
接続部２３１と取付用梁部２３４との間には、軸部材２３２を取り巻くようにばね２３５が設けられている。ばね２３５により、取付用梁部２３４は、接続部２３１に対して下方向に付勢される。そして、取付用梁部２３４の左右端部には、一対の下向き爪部２３６が設けられている。
【００６３】
このような取付部２３０を用いて、レンズ保持具２００を電子メガネ１００に取り付ける方法は、例えば以下の通りである。ユーザが把持部２３４１を把持して取付用梁部２３４を上方向に押し上げると、取付用梁部２３４および一対の下向き爪部２３６が上方向に移動し、一対の下向き爪部２３６と上向き爪部２３３との間に隙間が生じる。この隙間に、電子メガネ１００のフロント１３０を挿入し、ユーザが把持部２３４１を把持する力を低減させると、ばね２３５の付勢力によって取付用梁部２３４および一対の下向き爪部２３６に対して下方向の力が加わる。これにより、電子メガネ１００のフロント１３０が上向き爪部２３３と一対の下向き爪部２３６とに挟み込まれる。これにより、レンズ保持具２００は電子メガネ１００のフレーム１２０に対して３点で支持されるので、レンズ保持具２００が電子メガネ１００に対して動かないように取り付けられる。
【００６４】
なお、本第１の実施の形態では、電子メガネ１００のフロント１３０を上向き爪部２３３と一対の下向き爪部２３６とで挟む形式の取付部２３０について説明したが、本発明はこれに限定されない。例えば、取付部２３０としては、ばねによって閉方向に付勢されたクリップ状の部材を採用してもよい。この場合、電子メガネ１００がクリップ状の部材によって傷つかないように、クリップ状の部材が軟らかい素材（樹脂等）で覆われていることが望ましい。
【００６５】
［アイウェアシステム１の使用方法］
以下、アイウェアシステム１の使用方法について詳細に説明する。上記説明したように、アイウェアシステム１は電子メガネ１００にレンズ保持具２００を取り付けて使用される。アイウェアシステム１は、主に、電子メガネ１００の第１領域１１１における光学特性の変化による見え方の違いを、ユーザに体験させる目的で使用される。以下の説明において、体験するユーザを体験者と記載する。
【００６６】
アイウェアシステム１を体験する体験者は、電子メガネ１００を使用しようとするユーザであるから、視力が通常より低下していることが多い。一方、体験用の電子メガネ１００の電子レンズ１１０は度が入っていない、または所定の度数（累進設計を含む）に合わせられたものであって、体験者の視力に合わせたものではない。このため、視力が低下した体験者が体験用の電子メガネ１００を掛けた場合、体験者は自らの視力に合っていないレンズを通して周囲を見ることになる。このため、体験者は、電子メガネ１００を通しても良好な視界を得られないことが多い。この状態で電子レンズ１１０の一部である第１領域１１１の光学特性が変化したとしても、第１領域１１１における見え方の違いを認識することは、体験者には困難である。
【００６７】
このため、本第１の実施の形態に係るアイウェアシステム１では、体験者の視力に合わせた度数のレンズユニット３００をレンズ保持具２００に取り付けることにより、体験者に明瞭な視界を与える。この状態では、体験者は、第１領域１１１における光学特性の変化による見え方の違いを好適に体験することができるようになる。
【００６８】
体験者がアイウェアシステム１を用いて電子メガネ１００を体験する場合、まず、体験者によって、レンズ保持具２００が取り付けられた電子メガネ１００が掛けられる。
【００６９】
次に、図７に示すように、体験者の視力に合わせたレンズユニット３００が、レンズ保持具２００に取り付けられる。図７は、体験者の視力に合わせたレンズユニット３００が、レンズ保持具２００に取り付けられる様子を示す図である。体験者の視力に合わせたレンズユニット３００とは、例えば体験者が近視である場合、視力に合う度数の近視用レンズである。あるいは、体験者が遠視である場合、視力に合う度数の遠視用レンズである。さらに、体験者が乱視である場合、乱視用レンズを有するレンズユニット３００が、体験者の乱視の軸角度に合わせた角度でレンズ保持具２００に取り付けられる。近視用または遠視用レンズの度数は、例えば体験者が既にメガネを使用している場合、そのメガネで使用されているレンズの度数に合わせて決定されればよい。
【００７０】
レンズ保持具２００が複数のレンズを保持できる場合は、複数のレンズを組み合わせることもできる。すなわち、体験者が近視または遠視と乱視とを同時に有する場合、近視または遠視用レンズを有するレンズユニット３００とともに、乱視用レンズを有するレンズユニット３００が、同時にレンズ保持具２００に取り付けられる。さらに、体験者の要望に応じて、近視用レンズ、遠視用レンズ、乱視用レンズ、カラーレンズ、偏光レンズ、調光レンズ、防眩レンズ、特定波長カットレンズ等を有する複数のレンズユニット３００を適宜組み合わせてレンズ保持具２００に取り付けるようにしてもよい。
【００７１】
なお、レンズ保持具２００へのレンズユニット３００の取り付けは、例えばアイウェアシステム１を体験者に体験させるショップの店員等が行うことが望ましいが、体験者が自ら行ってもよい。
【００７２】
次に、図８Ａおよび図８Ｂに示すように、レンズユニット３００の位置調節が行われる。図８Ａは、レンズユニット３００の位置調節の様子を示す図を前から見た図である。図８Ｂは、レンズユニット３００の位置調節と、体験者の視界との関係を横から見た図である。図８Ａおよび図８Ｂにおいて、矢印の上側が位置調節前の様子を、矢印の下側が位置調節後の様子を、それぞれ示している。なお、図８Ｂにおいて、左右方向と前後方向の縮尺は正確ではなく、特に前後方向において各部が強調して図示されている。また、図８Ａおよび図８Ｂでは、電子メガネ１００の第１領域１１１とレンズユニット３００のレンズ３１０との位置関係を示しており、レンズ保持具２００については図示を省略している。
【００７３】
レンズユニット３００の位置調節については、ショップ店員等が行うことが望ましいが、体験者が自ら行ってもよい。レンズユニット３００の位置調節は、体験者のレンズユニット３００のレンズ３１０を通した視界内に第１領域１１１が位置するように行われる。具体的には、図８Ｂに示すように、体験者のレンズ３１０を通した視界ＦＶから第１領域１１１がはみ出ている場合、はみ出ている方向に向かってレンズユニット３００を移動させる。これにより、体験者のレンズ３１０を通した視界ＦＶ内に第１領域１１１を位置させることができるようになる。さらに、第１領域１１１が体験者のレンズ３１０を通した視界ＦＶ内において、体験者にとってより好適な位置となるように、適宜レンズユニット３００の位置の微調整が行われてもよい。
【００７４】
以上のような手順により、体験者の視力に合った視界の中に、第１領域１１１を位置させることができる。この状態で電子メガネ１００の入力部１４３を操作することにより、体験者は、第１領域１１１における光学特性の変化による見え方の違いを好適に体験することができるようになる。なお、入力部１４３の操作は、ショップ店員ではなく、体験者が自ら行う方がより望ましい。
【００７５】
さらに、レンズ保持具２００の位置調節部２２０が第１可動部２２４を有している場合、図９Ａに示すように、電子メガネ１００のフロント１３０がカーブしていたとしても、保持部２１０に保持されるレンズ３１０の位置をカーブに合わせて調整することができる。また、レンズ保持具２００の位置調節部２２０が第２可動部２２５を有している場合、図９Ｂに示すように、電子メガネ１００の電子レンズ１１０が前後方向に傾いていたとしても、レンズ３１０の傾きを電子レンズ１１０の傾きに合わせて調整することができる。このような構成により、体験者は、第１領域１１１における光学特性の変化による見え方の違いをより好適に体験することができる。
【００７６】
＜作用・効果＞
以上説明したように、本第１の実施の形態に係るアイウェアシステム１は、光学特性が変化する第１領域１１１（光学特性変化領域）を含む電子レンズ１１０（第１レンズ）、および電子レンズ１１０を保持するフレーム１２０を備えた電子メガネ１００（アイウェア）と、電子レンズ１１０とは異なるレンズユニット３００のレンズ３１０（第２レンズ）を電子レンズ１１０の一方の面に正対させ、かつ電子メガネ１００を掛けた体験者（ユーザ）のレンズ３１０を通した視界内に第１領域１１１が位置するようにレンズユニット３００を保持する保持部２１０、およびフレーム１２０に取り付けるための取付部２３０を備えたレンズ保持具２００と、を有する。
【００７７】
このような構成において、体験者の視力に合わせたレンズユニット３００をレンズ保持具２００に取り付けることにより、体験者の視力に合ったレンズ３１０を通した視界の中に、第１領域１１１を位置させることができるようになる。この状態で電子メガネ１００の入力部１４３が操作されることにより、体験者は、第１領域１１１の光学特性の変化による見え方の違いを好適に体験することができるようになる。
【００７８】
また、本第１の実施の形態に係るアイウェアシステム１において、レンズ保持具２００は、レンズユニット３００の電子レンズ１１０に対する相対位置を調節する位置調節部２２０を有する。このような構成により、体験者の視力に合った視界の中に第１領域１１１が位置していない場合には、位置調節部２２０によってレンズユニット３００の位置を調節することで、体験者の視力に合致した視界の中に第１領域１１１を位置させることができるようになる。また、体験者にとってレンズ３１０の位置が好適な位置となるように、レンズユニット３００の位置を適宜調節することができるようになる。
【００７９】
（第２の実施の形態）
上記説明した第１の実施の形態では、電子レンズを有する電子メガネに、所定の度数のレンズユニットを保持するレンズ保持具を取り付けることで、電子レンズの光学特性の変化による見え方の違いを体験者に体験させるアイウェアシステムについて説明した。以下説明する第２の実施の形態では、体験者が自らのメガネに電子レンズを有するオーバーグラスを取り付けることで、電子レンズの光学特性の変化による見え方の違いを体験者に体験させるアイウェアシステムについて説明する。なお、本第２の実施の形態において、オーバーグラスとは、他のアイウェアに被せるような形で取り付けられるアイウェアを意味する。
【００８０】
以下の説明において、煩雑さを避けるため、体験者自らが有するメガネを、体験者メガネと記載する。
【００８１】
［オーバーグラス４００の構成］
図１０および図１１は、本第２の実施の形態に係るオーバーグラス４００の外観を例示した図である。オーバーグラス４００は、本発明の第１フレームの一例である。図１０は、オーバーグラス４００の前方から見た斜視図であり、図１１は、オーバーグラス４００の後方から見た斜視図である。なお、本第２の実施の形態において、オーバーグラス４００の前後方向、上下方向、および左右方向は、オーバーグラス４００を装着した体験者の顔に対する前後方向、上下方向、および左右方向にそれぞれ対応する。具体的には、各図面におけるＸ軸方向を前後方向（矢印で示す方向が前方）、Ｙ軸方向を左右方向（矢印で示す方向が左方）、Ｚ軸方向を上下方向（矢印で示す方向が上方）とする。
【００８２】
図１０および図１１に示すように、オーバーグラス４００は、フレーム４３０、入力部４４０、電子レンズ４５０、制御部４６０、電源４７０、取付部４８０、および位置調節部４９０を有する。取付部４８０は、本発明の第１取付部の一例である。また、位置調節部４９０は、本発明の第１レンズ位置調整部の一例である。
【００８３】
フレーム４３０は、フロント４１０および一対のテンプル４２０を有する。
【００８４】
フロント４１０は、一対の電子レンズ４５０を保持する。一対の電子レンズ４５０のそれぞれは、体験者の左右それぞれの目に対応する。フロント４１０は、上記一対の電子レンズ４５０をそれぞれ支持する一対のリム４１１と、上記一対のリム４１１を接続するブリッジ４１２と、を有する。リム４１１の形状は、電子レンズ４５０の形状に対応する。特に図示しないが、フロント４１０の内部（リム４１１と電子レンズ４５０との間）には、電子レンズ４５０と制御部４６０とを電気的に接続するための配線が配置される。
【００８５】
また、フロント４１０は、オーバーグラス４００が体験者メガネとともに使用される場合に、オーバーグラス４００を体験者メガネに取り付けるための取付部４８０を有する。図１０および図１１に示すように、取付部４８０は、フロント４１０の上部にフロント４１０の形状に沿ってフロント４１０のほぼ中心部（すなわちオーバーグラス４００の左右方向における中心部）付近に配置された部材である。ただし、取付部４８０はその全体においてフロント４１０に接続される必要はなく、一部のみがフロント４１０に接続されていればよい。図１０および図１１では、取付部４８０はブリッジ４１２の付近においてのみフロント４１０と接続された例が示されている。
【００８６】
また、フロント４１０は、オーバーグラス４００が体験者メガネとともに使用される場合に、体験者メガネのレンズに対して電子レンズ４５０の位置を調節するための位置調節部４９０を有する。図１０および図１１に示すように、位置調節部４９０は、取付部４８０がフロント４１０に接続される位置に配置されている。取付部４８０および位置調節部４９０の詳細については、後述する。
【００８７】
フロント４１０の材料は、特に限定されず、一般的にメガネのフロントの材料として使用されている公知の材料を採用することができる。フロント４１０の材料は、例えば、チタン、アルミおよびステンレス等の金属、ポリアミド、アセテート、セルロイド、ポリエーテルイミドおよびポリウレタン等の樹脂、あるいはカーボン等から適宜選択されればよい。
【００８８】
一対のテンプル４２０は、ほぼ左右対称となるように配置された一対の棒状の部材であり、その前端部においてフロント４１０に接続される。一対のテンプル４２０の一方または両方には、入力部４４０が配置される。また、一対のテンプル４２０の一方には、制御部４６０が配置される。さらに、一対のテンプル４２０の一方または両方の終端部（フロント４１０から遠い方の端部）には、電源４７０が配置される。特に図示しないが、テンプル４２０の内部には、入力部４４０、制御部４６０、および電源４７０を電気的に接続するための配線が配置される。
【００８９】
テンプル４２０の材料は、特に限定されず、メガネのテンプルの材料として使用されている公知の材料とすることができる。テンプル４２０の材料は、例えば、チタン、アルミおよびステンレス等の金属、ポリアミド、アセテート、セルロイド、ポリエーテルイミドおよびポリウレタン等の樹脂、あるいはカーボン等から適宜選択される。
【００９０】
なお、本実施形態において、オーバーグラス４００の外観を構成する部材、すなわちフロント４１０およびテンプル４２０を含むフレーム４３０および電子レンズ４５０は、フレーム４３０の中心を基準としてほぼ左右対称となるように形成および配置されているとする。
【００９１】
入力部４４０は、オーバーグラス４００を装着する体験者等からの入力操作を受け付ける。具体的には、入力部４４０は、テンプル４２０の外側かつ前方の領域に配置された複数の静電容量型のタッチセンサである。入力部４４０はタッチセンサ以外のセンサであってもよいし、センサデバイスの数は１つでも複数でもよい。
【００９２】
一対の電子レンズ４５０は、フレーム４３０のフロント４１０に保持された、電圧の印加により光学特性が変化する液晶レンズ４５０ａを有するレンズである。電子レンズ４５０は、球面レンズであってもよいし、非球面レンズであってもよい。
【００９３】
電子レンズ４５０は、その厚み方向に複数の層が重なる多層構造を有する。多層構造の一部は、一対の導電層（不図示）により挟まれた液晶層（不図示）を有する液晶レンズ４５０ａである。図１０および図１１に示すように、液晶レンズ４５０ａは、電子レンズ４５０のうちの一部の領域を占めている。一対の導電層には透明電極（不図示）が接続されており、液晶レンズ４５０ａは、この透明電極を介して制御部４６０と電気的に接続される。液晶レンズ４５０ａは、入力部４４０への入力操作に応じた制御部４６０の制御により、一対の導電層間に電圧が印加されると、屈折率を変化させることができる。液晶レンズ４５０ａは、本発明の電気素子および光学素子の一例である。
【００９４】
制御部４６０は、入力部４４０が受け付けた入力操作に応じて、液晶レンズ４５０ａの作動または非作動を制御する。制御部４６０は、例えばＣＰＵ（Central Processing Unit）およびＲＡＭ（Random Access Memory）、ＲＯＭ（Read Only Memory）等が含まれる演算装置である。制御部４６０は、液晶レンズ４５０ａの機能を実行するためのプログラムをＲＯＭから読み出してＲＡＭに展開し、展開したプログラムを実行する液晶レンズ４５０ａの動作制御を行う。
【００９５】
［取付部４８０および位置調節部４９０の詳細］
以下では、フレーム４３０のフロント４１０が有する取付部４８０および位置調節部４９０について詳細に説明する。
【００９６】
図１２Ａおよび図１２Ｂは、オーバーグラス４００が体験者メガネ５００とともに使用される様子を例示した図である。体験者メガネ５００は、例えばオーバーグラス４００の電子レンズ４５０を体験しようとする体験者の視力に合致した度数のレンズを有する。体験者メガネ５００は、本発明の第２フレームの一例である。
【００９７】
図１２Ａはオーバーグラス４００が体験者メガネ５００に取り付けられる前の様子を、図１２Ｂはオーバーグラス４００が体験者メガネ５００に取り付けられた後の様子を、それぞれ例示した斜視図である。
【００９８】
本実施形態において、オーバーグラス４００が体験者メガネ５００に取り付けられるとは、図１２Ａに示すように、オーバーグラス４００の取付部４８０が体験者メガネ５００のフロント５０１の上側から接触することで、オーバーグラス４００が保持されることを意味する。すなわち、本実施形態において、オーバーグラス４００が体験者メガネ５００に取り付けられた状態とは、オーバーグラス４００が取付部４８０によって、体験者メガネ５００のフロント５０１上に載せられた状態である。なお、フロント５０１は本発明の第２前枠の一例である。
【００９９】
オーバーグラス４００の取付部４８０以外の部位は、体験者メガネ５００と接触してもよいし、しなくてもよい。オーバーグラス４００の重量を分散させるという観点からすれば、例えばオーバーグラス４００のテンプル４２０の一部が体験者メガネ５００のテンプル５０２と接触していた方が好適である。なお、テンプル５０２は本発明の第２テンプルの一例である。
【０１００】
また、オーバーグラス４００が体験者メガネ５００に取り付けられた状態とは、オーバーグラス４００が体験者メガネ５００に対して固定された状態であってもよいし、固定されていない状態であってもよい。なお、本第２の実施の形態において、固定とは、例えばクリップやネジ止め等によって、オーバーグラス４００が体験者メガネ５００から容易には取り外せない状態とすることである。ただし、オーバーグラス４００が体験者メガネ５００に固定されていない方が、例えば液晶レンズ４５０ａの加入度数（電子レンズ４５０の他の部位との度数の差）が異なる様々なオーバーグラス４００を容易に取り替えて体験者に体験させることができるため、より好適である。
【０１０１】
図１２Ｂに示すように、オーバーグラス４００が体験者メガネ５００に取り付けられた状態では、オーバーグラス４００の電子レンズ４５０と体験者メガネ５００のレンズ５０３とが互いに重なり合った状態となる。これにより、体験者は体験者メガネ５００のレンズ５０３とオーバーグラス４００の液晶レンズ４５０ａの両方を通した視界を体験することができる。このため、視力が低い体験者でも、オーバーグラス４００の液晶レンズ４５０ａによる見え方の変わり具合を好適に体験することができる。しかしながら、オーバーグラス４００の電子レンズ４５０と体験者メガネ５００のレンズ５０３の形状や大きさによっては、後述するように液晶レンズ４５０ａが好適な位置とならないことがある。このような事態を回避するため、オーバーグラス４００は位置調節部４９０を有する。
【０１０２】
図１０から図１２Ｂに示すように、オーバーグラス４００のフロント４１０には、体験者メガネ５００に対する電子レンズ４５０の位置を調節するための位置調節部４９０が設けられる。この位置調節部４９０は、体験者メガネ５００のレンズ５０３に対する電子レンズ４５０の位置調節を可能とするものである。位置調節部４９０の位置調節を実現させる方法については、本発明では特に限定しないが、一例として、例えば以下のような方法で位置調節を行えばよい。すなわち、位置調節部４９０は例えばネジやレール等の位置調節用の機構を有し、ネジの回転や、レールのスライド等によって、取付部４８０に対する電子レンズ４５０の位置を調節できるように構成されればよい。このような構成により、体験者メガネ５００のレンズ５０３に対する電子レンズ４５０の位置を調節することができる。本実施形態において、位置調節部４９０は、オーバーグラス４００の左右方向におけるほぼ中心に配置されている。
【０１０３】
本実施形態において、位置調節部４９０は、３つの方向における位置調節を行うことができる。３つの方向とは、すなわち、前後方向、左右方向、および上下方向である。なお、前後方向は、体験者メガネ５００のレンズ５０３に対して電子レンズ４５０が近づくまたは遠ざかる方向（本発明の第１方向）の一例である。また、左右方向および上下方向は、第１方向に直交する方向（本発明の第２方向）の一例である。
【０１０４】
［位置調節についての詳細な説明］
以下では、位置調節部４９０による電子レンズ４５０の位置調節について詳細に説明する。なお、以下の位置調節に関する説明においては、オーバーグラス４００が遠近両用レンズを有する場合を想定する。すなわち、液晶レンズ４５０ａが近距離用として使用され、電子レンズ４５０の液晶レンズ４５０ａ以外の部位が中・遠距離用として使用されることを想定した説明を行う。
【０１０５】
＜前後方向＞
図１３Ａおよび図１３Ｂを参照して、前後方向における位置調節について説明する。一般的には、前後方向においては、体験者メガネ５００のレンズ５０３の位置が体験者にとって好適なレンズの位置であると考えられる。このため、オーバーグラス４００を体験者メガネ５００に取り付けた状態での前後方向における位置調節は、オーバーグラス４００の電子レンズ４５０をレンズ５０３へできるだけ近づける方向へ行われることが望ましい。図１３Ａは、体験者メガネ５００にオーバーグラス４００が取り付けられた後、前後方向における位置調節が行われる前の様子を示す図である。図１３Ｂは、体験者メガネ５００にオーバーグラス４００が取り付けられた状態で、電子レンズ４５０がオーバーグラス４００の前後方向において体験者メガネ５００のレンズに近づくように位置調節が行われた様子を示す図である。図１３Ｂに示す矢印Ａ１は、位置調節部４９０による電子レンズ４５０の前後方向における移動方向を例示したものである。
【０１０６】
なお、前後方向の位置調節としては、電子レンズ４５０をレンズ５０３に近づける方向の調節には限定されず、場合によっては電子レンズ４５０をレンズ５０３から遠ざける方向の調節が行われてもよい。
【０１０７】
＜左右方向＞
次に、図１４Ａおよび図１４Ｂを参照して、左右方向における位置調節について説明する。図１４Ａは、体験者メガネ５００にオーバーグラス４００が取り付けられた後、左右方向における位置調節が行われる前の様子を示す図である。また、図１４Ｂは、体験者メガネ５００にオーバーグラス４００が取り付けられた状態で、オーバーグラス４００の左右方向において位置調節が行われた様子を示す図である。
【０１０８】
一般的に、人間の目は近距離を見る場合には、中・遠距離を見る場合と比較して寄り目となる。このため、遠近両用のアイウェアでは、左右方向において近距離用と中・遠距離用とでアイポイント（視線がレンズを通過する位置）を異ならせる必要がある。具体的には、左右方向において、近距離用のアイポイント（近用アイポイント）は、中・遠距離用のアイポイント（遠用アイポイント）よりも内側に位置することになる。この左右方向における近用アイポイントと遠用アイポイントのずれ量は、インセットと呼ばれる。
【０１０９】
この観点からすると、体験者がオーバーグラス４００の電子レンズ４５０による見え方の変わり具合を好適に体験するためには、左右方向において、液晶レンズ４５０ａの位置が体験者の近用アイポイントに合致するように調節されることが望ましい。図１４Ｂにおける矢印Ａ２は、位置調節部４９０による電子レンズ４５０の左右方向における移動方向を例示したものである。
【０１１０】
なお、本実施形態において、左右方向における位置調節は、オーバーグラス４００の左右方向におけるほぼ中心に配置された位置調節部４９０に対して、左右の電子レンズ４５０が近づくまたは遠ざかる方向への位置調節を意味する。すなわち、位置調節部４９０による左右方向における位置調節は、位置調節部４９０を基準としてほぼ左右対称に行われる。これにより、一対の電子レンズ４５０の、左右方向における位置調節を容易に行うことができる。
【０１１１】
＜上下方向＞
さらに、図１５Ａおよび図１５Ｂを参照して、上下方向における位置調節について説明する。図１５Ａは、体験者メガネ５００にオーバーグラス４００が取り付けられた後、上下方向における位置調節が行われる前の様子を示す図である。また、図１５Ｂは、体験者メガネ５００にオーバーグラス４００が取り付けられた状態で、オーバーグラス４００の上下方向において位置調節が行われた様子を示す図である。
【０１１２】
図１５Ａに示すように、位置調節部４９０による位置調節が行われていない場合、体験者から見て、液晶レンズ４５０ａがレンズ５０３からはみ出した状態となってしまうことがある。このような状態は、電子レンズ４５０の上下方向の長さと、レンズ５０３の上下方向の長さが互いに異なる場合に生じうる。このような場合、体験者のレンズ５０３を通した視界内に液晶レンズ４５０ａが位置しないため、体験者は、オーバーグラス４００の電子レンズ４５０による見え方の変わり具合を好適に体験することが困難である。
【０１１３】
従って、位置調節部４９０による位置調節は、上下方向において、体験者のレンズ５０３を通した視界内に液晶レンズ４５０ａの全体が位置するように行われることが望ましい。
【０１１４】
より好適には、位置調節部４９０による位置調節は、上下方向において、液晶レンズ４５０ａが、体験者のレンズ５０３を通した視界のうち下方よりに位置するように行われることが望ましい。その理由は、一般的な遠近両用メガネ等において、近距離用のレンズを下方よりに配置し、それ以外の領域を中・遠距離用とすることが多いからである。
【０１１５】
図１５Ｂでは、電子レンズ４５０の上下方向における位置が調節され、体験者から見て液晶レンズ４５０ａがレンズ５０３からはみ出さず、レンズ５０３の下方よりに配置されるように位置調節された様子が示されている。なお、図１５Ｂでは、位置調節部４９０による上下方向の位置調節によって、取付部４８０の一部４８０Ｐ以外の部位が体験者メガネ５００から上側に離れた状態となっている。なお、取付部４８０の一部４８０Ｐとは、位置調節部４９０によって移動しない取付部４８０の一部分である。この場合、体験者メガネ５００に対するオーバーグラス４００の取り付けは、取付部４８０の一部４８０Ｐのみが体験者メガネ５００と接触することによって行われている。図１５Ｂに示す矢印Ａ３は、位置調節部４９０による電子レンズ４５０の上下方向における移動方向を例示したものである。
【０１１６】
なお、図１３Ａ〜図１５Ｂに関連した上記説明では、電子レンズ４５０についての位置調節にのみ言及している。しかしながら、実際には、オーバーグラス４００の位置調節部４９０は、電子レンズ４５０とともに、オーバーグラス４００のその他の構成（フロント４１０やテンプル４２０を含むフレーム４３０等）も移動させる。これにより、オーバーグラス４００の体験者は、位置調節部４９０を用いて、オーバーグラス４００を体験者の頭の形状に合わせて好適にフィッティングさせることができる。
【０１１７】
＜作用・効果＞
以上説明したように、本発明の実施形態に係るオーバーグラス４００は、体験者メガネ５００とともに使用されるアイウェアであって、液晶レンズ４５０ａを有する電子レンズ４５０と、電子レンズ４５０を保持するフレーム４３０と、体験者メガネ５００にフレーム４３０を取り付ける取付部４８０と、体験者メガネ５００に取り付けられた状態で、体験者メガネ５００のレンズ５０３に対する電子レンズ４５０の相対位置を調節する位置調節部４９０と、を有する。
【０１１８】
このような構成により、体験者メガネ５００のレンズ５０３に対する、電子レンズ４５０の位置を好適に調節することができる。このため、本発明のオーバーグラス４００を体験者メガネ５００とともに使用する場合に、電子レンズ４５０の液晶レンズ４５０ａの位置を、体験者の視界における好適な位置とすることができる。これにより、例えば度付きのメガネを使用中の体験者に対しても、電気制御型レンズを有するアイウェアを好適に体験させることができる。
【０１１９】
また、本発明の実施形態に係るオーバーグラス４００によれば、位置調節部４９０は、体験者メガネ５００のレンズ５０３に対して近づくまたは遠ざかる第１方向、および／または、第１方向に直交する第２方向における相対位置を調節する。なお、第１方向は、例えばオーバーグラス４００を装着した体験者の顔に対する前後方向に対応し、第２方向は、左右方向および上下方向に対応する。このような構成により、電気制御型レンズの位置を好適な位置に容易に調節することができる。
【０１２０】
また、本発明の実施形態に係るオーバーグラス４００によれば、位置調節部４９０は、電子レンズ４５０の位置調節の際に、電子レンズ４５０とともに、オーバーグラス４００の他の構成を移動させる。オーバーグラス４００の他の構成とは、フロント４１０やテンプル４２０を含むフレーム４３０等を指す。このような構成により、位置調節部４９０によって、オーバーグラス４００を体験者の頭の形状に合わせて好適にフィッティングさせることができる。
【０１２１】
［変形例］
以上、図面を参照しながら本発明の各実施の形態について説明したが、本発明はかかる例に限定されない。当業者であれば、特許請求の範囲に記載された範囲内において、各種の変更例または修正例に想到しうることは明らかであり、それらについても当然に本発明の技術的範囲に属するものと了解される。また、発明の趣旨を逸脱しない範囲において、上記実施形態における各構成要素は任意に組み合わせられてもよい。
【０１２２】
上記した第１および第２の実施の形態において、電子メガネ１００またはオーバーグラス４００は、一対の電子レンズ１１０または電子レンズ４５０を有していたが、本発明はこれに限定されない。電子メガネまたはオーバーグラス（本発明の第１フレーム）は、例えば電子レンズを１つのみ有していてもよいし、電子レンズではないレンズ（例えば度付きレンズ）と、電子レンズとを１つずつ有していてもよい。場合によっては、３つ以上のレンズを有していてもよい。
【０１２３】
上記した第１の実施の形態において、図１等に示すように、レンズ保持具２００は電子メガネ１００の前側に取り付けられていたが、本発明はこれに限定されず、レンズ保持具が電子メガネより後ろ側に取り付けられてもよい。ただし、この場合、レンズ保持具およびこれに保持されるレンズユニットが、電子メガネと体験者の眼との間に位置することになるため、レンズ保持具およびレンズユニットの厚みが薄くなるように形成されることが望ましい。
【０１２４】
上記した第２の実施の形態において、第１フレームの一例としてのオーバーグラス４００として、メガネと同様の形状を有するオーバーグラスについて説明したが、本発明はこれに限定されない。例えばテンプルが体験者メガネより短かったり、テンプルを有しない構成であったりしてもよい。換言すれば、本発明の第１フレームは、フロントおよびレンズのみを有する構成であってもよい。このような構成によれば、オーバーグラスのテンプルと、体験者メガネのテンプルとが互いに干渉することで、オーバーグラスを体験者メガネから取り外しにくくなる事態が生じることを防止できる。なお、この場合、液晶レンズの作動または非作動についての入力操作を受け付ける入力部は、例えば第１フレームのフロントに設けられればよい。
【０１２５】
上記した第２の実施の形態において、オーバーグラス４００が体験者メガネ５００に取り付けられた状態とは、オーバーグラス４００が取付部４８０によって体験者メガネ５００のフレーム（フロント）上に載せられた状態であるとしたが、本発明はこれに限定されない。本発明の第１フレームを体験者メガネに取り付ける方法としては、例えば以下のような方法を採用してもよい。すなわち、例えば本発明の第１フレームが第１取付部としてクリップ部材を有し、クリップ部材によって体験者メガネのフロントに上からまたは下から取り付ける方法を採用してもよい。また、本発明の第１フレームのテンプルを体験者メガネのテンプル部材に載せたり、引っかけたり、テンプル部材から吊り下げたりする方法を採用してもよい。
【０１２６】
上記した第２の実施の形態では、図１３Ａおよび図１３Ｂに示すように、体験者の目から見て、オーバーグラス４００が体験者メガネ５００のレンズ５０３の対物面側に取り付けられる場合について説明したが、本発明はこれに限定されない。オーバーグラスが有する電子レンズは、体験者の目と体験者メガネのレンズとの間に配置されてもよい。この場合、電子レンズを前後方向において位置調節するときには、体験者の目からより好適な距離へと調節するという観点から、体験者メガネのレンズへ近づける（体験者の目から遠ざかる）方向へ調節することが望ましい。
【０１２７】
上記した第２の実施の形態では、オーバーグラス４００は、前後方向、左右方向および上下方向における位置調節を行うことができる位置調節部４９０を有する例について説明したが、本発明はこれに限定されない。本発明では、電子レンズが体験者メガネのレンズに近づくまたは遠ざかる方向である第１方向、または、第１方向に直交する第２方向のいずれかにおける位置調節を行うことができる位置調節部を有していればよい。すなわち、前後方向、左右方向および上下方向のいずれかの方向のみ位置調節を行うことができる構成としてもよい。また、第１方向は厳密にオーバーグラスの前後方向と一致する必要はない。また、第２方向はオーバーグラスの左右方向または上下方向に限定されず、左右方向または上下方向に対して斜めの方向であってもよい。
【０１２８】
また、上記した第２の実施の形態では、１つの位置調節部４９０が前後、左右および上下のすべての方向における位置調節を行うとしたが、本発明はこれに限定されない。本発明では、方向毎に異なる位置調節部が設けられていてもよい。すなわち、前後方向用の位置調節部と、左右方向用の位置調節部と、上下方向用の位置調節部と、がそれぞれ別体として設けられてもよい。方向毎の位置調節部が別体として設けられる場合、それぞれの位置調節部が本発明のアイウェアの互いに異なる位置に設けられてもよい。すなわち、具体的には、例えば左右方向用および上下方向用の位置調節部がブリッジ付近に、前後方向用の位置調節部がヨロイ（フロントとテンプルとの間の部位）に、それぞれ設けられるようにしてもよい。
【０１２９】
また、上記した第１の実施の形態では、電子メガネ１００とレンズ保持具２００とが別体に形成されていた。同様に、上記した第２の実施の形態では、オーバーグラス４００と体験者メガネ５００とが別体に形成されていた。しかしながら、本発明はこれに限定されない。例えば、本発明のアイウェアシステムは、１つのフレームに、光学特性変化領域を有する第１レンズと、所定の度数を有する第２レンズの２枚のレンズが互いに重ねられた状態で保持されたアイウェアシステムであってもよい。この場合、第１レンズの位置が第２レンズに対して調節可能に構成されていることが望ましい。このような構成により、第２レンズが体験者の視力に合致した度数を有するアイウェアシステムにおいて、第１レンズが有する光学特性変化領域の屈折率を変化させることにより、第１レンズと第２レンズの両方を通した視界を体験者に体験させることができる。また、第２レンズに対する第１レンズの位置調整により、第１レンズの光学特性変化領域を体験者にとって好適な位置に位置させることができる。このため、視力が低い体験者に対して、体験者の視力に合わせたメガネがない場合でも、本発明のアイウェアシステムを好適に体験させることができる。
【０１３０】
また、第１の実施の形態に係る電子メガネ１００または第２の実施の形態に係るオーバーグラス４００には、制御部１５０（４６０）に対する操作を受け付け、電子レンズ１１０（液晶レンズ４５０ａ）の屈折率が変化した際に、使用者または操作者（使用者以外の者であって使用者の試用等をサポートする者）が電子レンズ１１０（液晶レンズ４５０ａ）の屈折率が変化したことを認識可能となるように、ＬＥＤまたは音により通知する通知部（図示しない）を設けてもよい。このような構成により、第１の実施の形態に係る電子メガネ１００または第２の実施の形態に係るオーバーグラス４００を試用する使用者または操作者は、電子レンズ１１０（液晶レンズ４５０ａ）の屈折率が変化したことを屈折率の変化以外の光や音に基づいて認識することができる。
【０１３１】
２０１８年２月７日出願の特願２０１８−０２０３２９の日本出願、および２０１８年１０月１９日出願の特願２０１８−１９７４１０の日本出願に含まれる明細書、図面および要約書の開示内容は、全て本願に援用される。
【産業上の利用可能性】
【０１３２】
本発明は、光学特性が変化する領域を含むレンズを有するアイウェアを容易に体験させることができるアイウェアシステムとして好適である。
【符号の説明】
【０１３３】
１  アイウェアシステム
１００  電子メガネ
１１０  電子レンズ
１１１  第１領域
１１２  第２領域
１２０  フレーム
１３０  フロント
１３１  リム
１３２  ブリッジ
１３３  鼻パッド
１３４  ヨロイ
１４０  テンプル
１４１  ヒンジ
１４２  耳掛け部
１４３  入力部
１５０  制御部
１６０  バッテリ
２００  レンズ保持具
２１０  保持部
２１１  外枠部
２１１２  腕部
２１２  第１支持部
２１３  第２支持部
２２０  位置調節部
２２１  腕部保持部
２２２  梁部
２２３  歯車部
２２４  第１可動部
２２５  第２可動部
２３０  取付部
２３１  接続部
２３２  軸部材
２３３  上向き爪部
２３４  取付用梁部
２３４１  把持部
２３５  ばね
２３６  下向き爪部
３００  レンズユニット
３００  適宜レンズユニット
３００  レンズユニット
３１０  レンズ
３２０  枠部
３３０  つまみ部
４００  オーバーグラス
４１０  フロント
４１１  リム
４１２  ブリッジ
４２０  テンプル
４３０  フレーム
４４０  入力部
４５０  電子レンズ
４５０ａ  液晶レンズ
４６０  制御部
４７０  電源
４８０  取付部
４８０Ｐ  取付部の一部
４９０  位置調節部
５００  体験者メガネ
５０１  フロント
５０２  テンプル
５０３  レンズ
【図１】
2019156130.tif 000003
【図２】
2019156130.tif 000004
【図３】
2019156130.tif 000005
【図４Ａ】
2019156130.tif 000006
【図４Ｂ】
2019156130.tif 000007
【図５】
2019156130.tif 000008
【図６Ａ】
2019156130.tif 000009
【図６Ｂ】
2019156130.tif 000010
【図７】
2019156130.tif 000011
【図８Ａ】
2019156130.tif 000012
【図８Ｂ】
2019156130.tif 000013
【図９Ａ】
2019156130.tif 000014
【図９Ｂ】
2019156130.tif 000015
【図１０】
2019156130.tif 000016
【図１１】
2019156130.tif 000017
【図１２Ａ】
2019156130.tif 000018
【図１２Ｂ】
2019156130.tif 000019
【図１３Ａ】
2019156130.tif 000020
【図１３Ｂ】
2019156130.tif 000021
【図１４Ａ】
2019156130.tif 000022
【図１４Ｂ】
2019156130.tif 000023
【図１５Ａ】
2019156130.tif 000024
【図１５Ｂ】
2019156130.tif 000025
【国際調査報告】
2019156130.tif 000026
2019156130.tif 000027
2019156130.tif 000028
2019156130.tif 000029